(57)【要約】【課題】引出し内で煩雑になりがちなカトラリー類を、取り出しやすく整然と収納することを可能にし、どのような大きさの引出しにも適用できる整理用具を提供する。【解決手段】帯状の基板部１１に、複数個の仕切板部１２を所定間隔で立設する。この仕切板部１２は、互いの間隔を、３〜７ｍｍ程度に形成する。基板部１１と複数個の仕切板部１２とは、ゴム弾性体により一体に成形する。このゴム弾性体のＪＩＳ硬度は、３０度ないし８０度の範囲が好ましい。そして、これら各仕切板部１２の間に、カトラリー類を保持させて収納・整理する。【選択図】  図１
2004254841.tif 000002
【特許請求の範囲】
【請求項１】
帯状の基板部に複数個の仕切板部が所定間隔で立設され、これら基板部と複数個の仕切板部とがゴム弾性体により一体成形されて、各仕切板部間にカトラリー類を保持しうることを特徴とするカトラリー類の整理用具。
【発明の詳細な説明】
【０００１】
【発明の属する技術分野】
この発明は、フォーク、ナイフ、スプーン等のカトラリー類を整理する整理用具に関する。
【０００２】
【従来の技術】
一般に、フォーク、ナイフ、スプーン等のカトラリー類は、食器棚や流し台等の引出しに収納されることが多い。引出し内には仕切りやトレイを設けて区画し、これらのカトラリー類を種類ごとや大きさごとに分けて収納している。
【０００３】
引出し内を区画するトレイには、合成樹脂等により大小の大きさの異なる複数個のトレイが一体成形されたものや、引出しの内側に設けた支持体に取り付けられた複数個の収納トレイからなる収納トレイユニットなどがある（例えば特許文献１参照）。
【０００４】
いずれもトレイの大きさは、収納物に合わせて２，３種類が用意されている。そして、このようなトレイを、収納するカトラリー類の大きさに合わせて組み合わせ、引出し内に納めて使用する。
【０００５】
【特許文献１】
実開平５−８８３４７号公報
【０００６】
【発明が解決しようとする課題】
しかしながら、このような仕切りやトレイでは、引出しを開けるたびにカトラリー類が仕切りやトレイ内で動くので雑然としやすく、特に金属製のカトラリー類の場合は、カトラリー同士が接触してガチャガチャと音をたて、傷がつくおそれもある。また、例えばフォークとナイフなど、カトラリーの形状によっては互いに絡まり合って取り出しにくくなることもあって、必要なものを取り出す手間がかかり、収納効率が悪い。
【０００７】
また、トレイはあらかじめ適当な大きさに形成されているので、収納するカトラリー類や引出しの大きさに合わないこともあって、汎用性に欠ける。
【０００８】
本発明は以上のような事情にかんがみてなされたものであり、煩雑になりがちなカトラリー類を、取り出しやすく整然と収納するとともに、どのような大きさの引出しにも適用できる整理用具を提供することを目的とする。
【０００９】
【課題を解決するための手段】
前記の目的を達成するため、本発明に係るカトラリー類の整理用具は、帯状の基板部に複数個の仕切板部が所定間隔で立設され、これら基板部と複数個の仕切板部とがゴム弾性体により一体成形されて、各仕切板部間にカトラリー類を保持しうることを特徴とする。
【００１０】
この発明によれば、カトラリー類を仕切板部同士の間に挟み込んで１本ずつ保持させることができる。したがって、引出し内などの必要な場所に、この整理用具を備えるだけで、カトラリー同士が接触することなく取り出しやすい状態で整然と整理・収納することが可能となる。
【００１１】
また、このような整理用具がゴム弾性体により形成されるので、仕切板部は変形自在とされ、カトラリー類の大きさや形状に合わせて仕切板部間が拡がって、どのようなカトラリー類でも容易に保持することができる。また、基板部を必要な長さに切断して使用することができ、整理用具が汚れた場合には、洗浄して、衛生的に使用することもできる。
【００１２】
【発明の実施の形態】
以下、本発明に係るカトラリー類の整理用具の実施の形態について、図面を参照しつつ説明する。
【００１３】
図１から図３は本発明の実施の形態を示し、図１は整理用具の側面図、図２は整理用具の上面図、図３は右側面図である。
【００１４】
図１に示すように整理用具１０は、帯状の基板部１１に複数個の仕切板部１２が所定間隔で立設されて構成されている。例示の形態では、整理用具１０の各仕切板部１２は厚さ３ｍｍで形成され、仕切板部１２同士の間隔は約４ｍｍに形成されている。この各仕切板部１２の間には、フォークやナイフなどのカトラリー類を柄の部分が横に立てた状態で挟み込まれる。
【００１５】
この整理用具１０の仕切板部１２同士の間隔は、カトラリー類の一般的な大きさに合わせて設定される。この間隔をあまりに広く形成すると保持したカトラリー類が脱落し、あまりに狭いとカトラリー類を挟み込むことができない。仕切板部１２同士の間隔の実用的な寸法は、３〜７ｍｍ程度であるが、例えば小さいフォークやスプーンなど、特定の用途に限定する場合は、上記寸法範囲外の間隔を採用することもできる。
【００１６】
仕切板部１２と基板部１１とは、ゴム弾性体によって一体に形成されている。ゴム弾性体のＪＩＳ硬度は特に限定しないが、３０度ないし８０度の範囲が実用的である。ここで、ＪＩＳ硬度とは、日本工業規格・Ｋ６２５３に定められたデュロメータ（タイプＡ／  中硬さ用）でのゴム硬度測定試験によるものとする。これにより、仕切板部１２同士の間にカトラリー類を保持するとき、安定した保持力が得られる。
【００１７】
例示の形態では、ゴム弾性体としてシリコンゴムが採用され、４０度程度の硬度で形成されている。また、このようなゴム弾性体としては、このシリコンゴムのほかに、各種合成ゴム、天然ゴム、あるいはゴムに類した弾性を有する各種の熱可塑性エラストマーなども適している。
【００１８】
また、仕切板部１２は、図示するように、丸みを帯びた四角形で形成されている。この仕切板部１２の形状は、四角形に限定されず、カトラリー類を保持しうる形状であれば半円形や丸みを帯びた三角形など、どのような形状であってもよい。
【００１９】
このように形成された各仕切板部１２の間に、フォークやナイフなどのカトラリー類を柄の部分を横に立てた状態で挟み込み、カトラリーの種類ごとに方向を揃えて保持させることで、互いに接触することなく整然と収納することができる。
【００２０】
したがって、カトラリー類の収納に整理用具１０を用いた場合には、使用者は必要なカトラリー類を一目で取り出すことが可能となり、カトラリー同士が絡まり合って取り出しにくいといった従来の問題点は解消される。また、カトラリー類を１本ずつ収納することができるので、カトラリー類に傷がついたり、引出しを出し入れするたびに音を立てたりすることもなくなる。
【００２１】
また、整理用具１０はゴム弾性体によって形成されているので、基板部１１を必要な長さに切断して使用することもできる。さらに、この整理用具１０が汚れた場合には洗浄することができ、衛生的に使用することができる。
【００２２】
【発明の効果】
以上説明したように、本発明に係るカトラリー類の整理用具は、帯状の基板部に複数個の仕切板部が所定間隔で立設され、各仕切板部間にカトラリー類を保持しうるように形成される。また、基板部と複数個の仕切板部とはゴム弾性体によって一体成形される。
【００２３】
このような発明により、煩雑になりがちなカトラリー類を、取り出しやすいように整然と収納することができる。さらに、基板部を切断してこの整理用具を必要な大きさにすることもできるので、どのような大きさの引出しにも適用することができ、収納効率が格段に向上する。
【図面の簡単な説明】
【図１】本発明に係るカトラリー類の整理用具の側面図である。
【図２】前記整理用具の上面図である。
【図３】前記整理用具の右側面図である。
【符号の説明】
１０  整理用具
１１  基板部
１２  仕切板部
【図１】
2004254841.tif 000003
【図２】
2004254841.tif 000004
【図３】
2004254841.tif 000005